【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  ユーザの自己治療を支援する方法であって、前記自己治療が予め決められた養生レベルをユーザに守らせるための少なくとも一つの動作及び対応する値を含んでいる方法において、該方法が、
二つ又はそれ以上の動作からの択一的選択肢と、二つ又はそれ以上の動作の各々について対応する値とを提示するように、一つ又はそれ以上のデータベースを処理するための関連パラメータの値を表すデータを前記一つ又はそれ以上のデータベースにおいて収集する
ステップを含むことを特徴とする方法。
【請求項２】  前記方法が更に、前記パラメータのうちの一つについて一つ又はそれ以上の将来値を推定するステップを含むことを特徴とする請求項１に記載の方法。
【請求項３】  前記一つ又はそれ以上の将来値を推定するステップが、人間の代謝を表す動的モデルに基づいて行われることを特徴とする請求項１又は２に記載の方法。
【請求項４】  前記方法が更に、前記一つ又はそれ以上の将来値のうち少なくとも一つが予め決められた許容値範囲外である場合に前記ユーザに通知するステップを含むことを特徴とする請求項２又は３に記載の方法。
【請求項５】  前記方法が更に、前記一つ又はそれ以上の将来値のうち少なくとも一つが予め決められた許容値範囲外である場合にケアチーム／専門家／中央システムに通知するステップを含むことを特徴とする請求項２から４までのいずれか一項に記載の方法。
【請求項６】  前記方法が更に、
・前記ユーザが選択した前記択一的選択肢のうち一つを登録すると共に、前記ユーザが指定した対応値を登録するステップと、
・前記登録された選択肢及び前記登録された対応値を前記一つ又はそれ以上のデータベースにおいて収集するステップと、
を含むことを特徴とする請求項１から５までのいずれか一項に記載の方法。
【請求項７】  前記方法が更に、時間を表すデータを前記一つ又はそれ以上のデータベースにおいて収集するステップを含むことを特徴とする請求項１から６までのいずれか一項に記載の方法。
【請求項８】  前記方法が更に、ケアチーム／専門家／中央システムが指定したデータを前記一つ又はそれ以上のデータベースにおいて収集するステップを含むことを特徴とする請求項１から７までのいずれか一項に記載の方法。
【請求項９】  前記自己治療が糖尿病の自己治療であり、前記一つ又はそれ以上の将来値が将来の様々な時点で予測される血糖値（ＢＧＬ）を表すことを特徴とする請求項２から８までのいずれか一項に記載の方法。
【請求項１０】  前記パラメータが、
・血糖値（ＢＧＬ）
・投薬量
・投与インシュリン量
・薬の形式
・タイム・スタンプ
・食餌摂取量
・飲み物摂取量
・身体活動の測定値
・インシュリン感度
・体温
・血圧、及び
・前記ユーザの体重
のうち一つ又はそれ以上を含むことを特徴とする請求項９に記載の方法。
【請求項１１】  前記パラメータが、
・体液濃度
・投薬量
・薬の形式
・タイプ・スタンプ
・食餌摂取量
・飲み物摂取量
・身体活動の測定値
・インシュリン感度
・体温
・血圧、及び
・前記ユーザの体重
のうち一つ又はそれ以上を含むことを特徴とする請求項１から８までのいずれか一項に記載の方法。
【請求項１２】  前記方法が、
・インシュリン
・成長ホルモン
・ＯＨＡ（経口高血糖症薬）、及び
・ＨＲＴ（ホルモン交換治療）
のうち一つ又はそれ以上に関するものであることを特徴とする請求項１１に記載の方法。
【請求項１３】  前記択一的選択肢が、
・遅効インシュリンの投与
・速効インシュリンの投与
・錠剤の投与
・運動
・食餌の摂取、及び
・飲み物の摂取
のグループの中から選択されることを特徴とする請求項１から１２までのいずれか一項に記載の方法。
【請求項１４】  前記方法が更に、患者が自己治療のために使用するための複数のポータブル装置間でデータ情報を制御するステップを含み、前記治療が第一の動作と少なくとも第二の動作とを含んでおり、前記ポータブル装置が動作操作を実行するための第一の装置と、第二の動作を実行するための少なくとも第二の装置とを備えており、
・自己治療に属する各装置が、情報の記憶、送信、受信、処理及び表示のうち一つ又はそれ以上のための手段を有しており、
・前記装置間のデータ通信が要求に応じて開始され、前記通信が機能マスタ・モジュールによって制御され、
・前記装置のうち少なくとも二つの中から前記機能マスタ・モジュールを指定し、
・前記装置のうち少なくとも二つの中から前記一つ又はそれ以上のデータベースを備える処理装置を指定する、
ことを特徴とする請求項１から１３までのいずれか一項に記載の方法。
【請求項１５】  前記装置間の相互データ通信の制御及び監視に関して最高優先順位を有するプログラム情報が、前記機能マスタ・モジュールにおいて記憶／起動されることを特徴とする請求項１４に記載の方法。
【請求項１６】  前記方法が更に、現在指定されているマスタ・モジュールが使用不能になったときに新しい機能マスタ・モジュールを指定するステップを含むことを特徴とする請求項１４又は１５に記載の方法。
【請求項１７】  前記方法が更に、現在指定されている処理装置が使用不能になったときに新しい処理装置を指定するステップを含むことを特徴とする請求項１４から１６までのいずれか一項に記載の方法。
【請求項１８】  前記方法が更に、前記ポータブル装置のうち一つ又はそれ以上から、前記自己治療のための関連パラメータの値を表す前記データを受け取るステップを含むことを特徴とする請求項１２から１７までのいずれか一項に記載の方法。
【請求項１９】  前記方法が更に、全てのポータブル装置の中から存在しかつ起動されている一つ又はそれ以上のポータブル装置を選択し、前記選択された一つ又はそれ以上のポータブル装置についてのみ対応する選択肢を提示するステップを含むことを特徴とする請求項１２から１８までのいずれか一項に記載の方法。
【請求項２０】  プログラムを実行させるための手段を具備し、該プログラムは実行されるとコンピュータに請求項１から１９までのいずれか一項に記載の方法を実行させる、コンピュータシステム。
【請求項２１】  プログラムが記憶されており、該プログラムは実行されるとコンピュータに請求項１から１９までのいずれか一項に記載の方法を実行させる、コンピュータで読み取り可能な媒体。
【請求項２２】  ユーザの自己治療を支援する装置であって、前記自己治療が予め決められた養生レベルをユーザに守らせるための少なくとも一つの動作及び対応する値を含み、該装置が、
・前記自己治療のための関連パラメータの値を表すデータを含む記憶手段、
を具備した装置において、該装置が更に、
・二つ又はそれ以上の動作からの択一的選択肢と、二つ又はそれ以上の動作の各々について対応する値とを提示するように、前記データを処理するための計算手段、
を具備したことを特徴とする装置。
【請求項２３】  前記計算手段が、前記パラメータのうちの一つについて一つ又はそれ以上の将来値を推定するようになっていることを特徴とする請求項２２に記載の装置。
【請求項２４】  前記一つ又はそれ以上の将来値の推定作用が、人間の代謝を表す動的モデルに基づいて行われることを特徴とする請求項２２又は２３に記載の装置。
【請求項２５】  前記装置が更に、前記一つ又はそれ以上の将来値のうち少なくとも一つが予め決められた許容値範囲外である場合に前記ユーザに通知する手段を具備したことを特徴とする請求項２３又は２４に記載の装置。
【請求項２６】  前記装置が更に、前記一つ又はそれ以上の将来値のうち少なくとも一つが予め決められた許容値範囲外である場合にケアチーム、専門家、及び中央システムのうち少なくとも一つに通知する手段を具備したことを特徴とする請求項２３から２５までのいずれか一項に記載の装置。
【請求項２７】  前記装置が更に、
・前記ユーザが選択した前記択一的選択肢のうち一つを登録すると共に、前記ユーザが指定した対応値を登録し、
・前記登録された選択肢及び前記登録された対応値を前記記憶手段において収集する
ための手段を具備したことを特徴とする請求項２２から２６までのいずれか一項に記載の装置。
【請求項２８】  前記装置が更に、時間を表すデータを前記記憶手段において収集するための手段を具備したことを特徴とする請求項２２から２７までのいずれか一項に記載の装置。
【請求項２９】  前記装置が更に、ケアチーム、専門家、及び中央システムのうち少なくとも一つが指定したデータを前記記憶手段において収集するための手段を具備したことを特徴とする請求項２２から２８までのいずれか一項に記載の装置。
【請求項３０】  前記自己治療が糖尿病の自己治療であり、前記一つ又はそれ以上の将来値が将来の様々な時点で予測される血糖値（ＢＧＬ）を表すことを特徴とする請求項２３から２９までのいずれか一項に記載の装置。
【請求項３１】  前記パラメータが、
・血糖値（ＢＧＬ）
・投薬量
・投与インシュリン量
・薬の形式
・タイム・スタンプ
・食餌摂取量
・飲み物摂取量
・身体活動の測定値
・インシュリン感度
・体温
・血圧、及び
・前記ユーザの体重
のうち一つ又はそれ以上を含むことを特徴とする請求項３０に記載の装置。
【請求項３２】  前記パラメータが、
・体液濃度
・投薬量
・薬の形式
・タイプ・スタンプ
・食餌摂取量
・飲み物摂取量
・身体活動の測定値
・インシュリン感度
・体温
・血圧、及び
・前記ユーザの体重
のうち一つ又はそれ以上を含むことを特徴とする請求項２２から２９までのいずれか一項に記載の装置。
【請求項３３】  前記装置が、
・インシュリン
・成長ホルモン
・ＯＨＡ（経口高血糖症薬）、及び
・ＨＲＴ（ホルモン交換治療）
のうち一つ又はそれ以上に関するものであることを特徴とする請求項３２に記載の装置。
【請求項３４】  前記択一的選択肢が、
・遅効インシュリンの投与
・速効インシュリンの投与
・錠剤の投与
・運動
・食餌の摂取、及び
・飲み物の摂取
のグループの中から選択されることを特徴とする請求項２２から３３までのいずれか一項に記載の装置。
【請求項３５】  前記装置が更に、患者が自己治療のために使用するための複数のポータブル装置間でデータ情報を制御するための手段を具備し、前記治療が第一の動作と少なくとも第二の動作とを含んでおり、前記ポータブル装置が動作操作を実行するための第一の装置と、第二の動作を実行するための少なくとも第二の装置とを備えており、
・自己治療に属する各装置が、情報の記憶、送信、受信、処理及び表示のうち一つ又はそれ以上のための手段を有し、
・前記装置間のデータ通信が要求に応じて開始され、前記通信が機能マスタ・モジュールによって制御され、
・前記装置のうち少なくとも二つの中から前記機能マスタ・モジュールを指定し、
・前記装置のうち少なくとも二つの中から前記記憶手段を備える処理装置を指定する、
ことを特徴とする請求項２２から３５までのいずれか一項に記載の装置。
【請求項３６】  前記装置間の相互データ通信の制御及び監視に関して最高優先順位を有するプログラム情報が、前記機能マスタ・モジュールにおいて記憶／起動されることを特徴とする請求項３５に記載の装置。
【請求項３７】  前記装置が更に、現在指定されているマスタ・モジュールが使用不能になったときに新しい機能マスタ・モジュールを指定するための手段を具備したことを特徴とする請求項３５又は３６に記載の装置。
【請求項３８】  前記装置が更に、現在指定されている処理装置が使用不能になったときに新しい処理装置を指定するための手段を具備したことを特徴とする請求項３５から３７までのいずれか一項に記載の装置。
【請求項３９】  前記装置が更に、前記ポータブル装置のうち一つ又はそれ以上から、前記自己治療のための関連パラメータの値を表す前記データを受け取るための手段を具備したことを特徴とする請求項３３から３８までのいずれか一項に記載の装置。
【請求項４０】  前記装置が更に、全てのポータブル装置の中から存在しかつ起動されている一つ又はそれ以上のポータブル装置を選択し、前記選択された一つ又はそれ以上のポータブル装置についてのみ対応する選択肢を提示するための手段を具備したことを特徴とする請求項２３から３９までのいずれか一項に記載の装置。
【手続補正２】
【補正対象書類名】明細書
【補正対象項目名】００９１
【補正方法】変更
【補正の内容】
【００９１】
マスタ・モジュール及び（又は）マージン・メーカーを内蔵する装置が利用できなくなった場合、システムは、指定される装置の関連情報を伝送することによりあるいはこれを起動することにより、新しいマスタ・モジュール及び新しいマージン・メーカーを指定することができる。
【手続補正３】
【補正対象書類名】明細書
【補正対象項目名】００９３
【補正方法】変更
【補正の内容】
【００９３】
計量調剤器６１０及びＢＧＭ機能は、例えば装置６００へのユーザ指定入力と一緒に、マージン・メーカーにモデル及び（又は）エキスパート・システムに対する入力情報を与えるので、マージン・メーカーはディスプレイ６０２にその結果得られる選択肢を提示することができる。